(57)【要約】【課題】コネクタシステムを安定化させてより信頼性のある接続を可能とする。【解決手段】端部１６に接触パッド１８を有するコネクタフォイル１２と、キー５０を有する円筒形の要素４２を有するコネクタ嵌合具３６であって、キー５０は、要素４２の切り欠き部分によって画定されて、要素４２の軸線に平行な２つの平らな表面を生成しているコネクタ嵌合具３６と、を備え、コネクタフォイル１２の端部１６は、平らな表面のうちの第１の平らな表面に接触パッド１８が第１の平らな表面と反対側に位置するように配置され、要素４２を収容するようにサイズ決めされた管状凹部９２を有し、コネクタフォイル１２の接触パッド１８と係合するように位置付けられた接触部９６を有する、ソケット部２０であって、ソケット部２０は、切り欠き部分により空にされたスペースを占領する構造を有する、ソケット部２０と、を備える。【選択図】図８
2020099723.tif 000002
【特許請求の範囲】
【請求項１】
端部（１６）に接触パッド（１８）を有するコネクタフォイル（１２）と、
遠位端に形成されたキー（５０）を有する円筒形の要素（４２）を有するコネクタ嵌合具（３６）であって、前記キー（５０）は、前記要素（４２）の切り欠き部分によって画定されて、前記要素（４２）の軸線にそれぞれ平行である２つの平らな表面を生成し、前記平らな表面は、互いから離れる方向に面している、コネクタ嵌合具（３６）と、を備え、
前記コネクタフォイル（１２）の前記端部（１６）は、前記平らな表面のうちの第１の平らな表面に前記接触パッド（１８）が前記第１の平らな表面と反対側に位置するように配置され、
前記要素（４２）を収容するようにサイズ決めされた管状凹部（９２）を有し、前記コネクタフォイル（１２）の前記接触パッド（１８）と係合するように位置付けられた接触部（９６）を有する、ソケット部（２０）であって、前記ソケット部（２０）は、前記切り欠き部分により空にされたスペースを占領する構造を有する、ソケット部（２０）と、を備えるコネクタシステム。
【発明の詳細な説明】
【背景技術】
【０００１】
（技術分野）
本発明は、全般的には、接続構成に関し、特に、グルコースなど体の身体的特性をモニタするためのセンサーセット及び挿入セットにおける使用のための接続構成に関する。特に、本発明は、コネクタを有する装着ベース部又はテストプラグを含むセンサーセットのためのコネクタに関し、コネクタと装着ベース部又はテストプラグは、互いに連結するように構成されている。
【０００２】
（関連出願の相互参照）
本ＰＣＴ出願は、２０１５年１１月１１日に出願された米国特許出願第１４／９３８，４５８号と、米国出願第１４／９３８，４５８号の継続出願である２０１６年１１月９日に出願された米国特許出願第１５／３４７，５２１号と、２０１６年９月２８日に出願された米国仮特許出願第６２／４００，９８７号と、の利益を主張し、これらの優先権を主張する。
【０００３】
（関連技術の説明）
近年、患者の血液及び他の体液における特異な作用物質を検出及び／又は定量化するための医学的用途を含む、幅広い用途に対して、様々な電気化学センサーが開発されている。１つの例として、糖尿病患者の血糖値の指標を得る際に使用するために、グルコースセンサーが開発されている。かかる計測値は、患者に対してインシュリンを定期的に投与することを典型的に含む治療レジメンのモニタ及び／又は調整に特に有用であり得る。この点に関して、血糖計測値は、特許文献１〜３に全般的に説明されるような外付けタイプの半自動式医薬輸液ポンプ、又は特許文献４に全般的に説明されるような自動埋込式医薬輸液ポンプと併せて特に有用である。
【０００４】
患者の血液又は他の細胞外液に直接接触しているセンサーの電極の皮下配置のために、比較的小さくかつ可撓性がある電気化学センサーが開発されており、かかるセンサーは、長期間に亘って、周期的な計測値を得るために使用できる。１つの形態では、可撓性経皮的センサーは、薄膜マスク手法に従って構築され、細長センサーは、ポリイミドシート又は同等の材料の可撓性絶縁層の間に包み込まれた薄膜導電性素子を含む。かかる薄膜センサーは、典型的には、患者の血液等に直接接触している皮下配置のために、遠位端に露出した電極と、好適なモニタデバイスとの便利な電気接続のために、外部に位置する近位端に露出した導電性接触パッドと、を含む。かかる薄膜センサーは、患者のモニタ用途において有意に保証されるが、残念ながら、患者の血液又は他の体液に直接接触しているセンサー電極を皮下に配置することは困難であった。改良された薄膜センサー及び関連する挿入セットは、本明細書に参照により援用されている、本願と同一譲受人に譲渡された特許文献５〜１０に記載されている。
【０００５】
本明細書に参照により援用されている特許文献１１（特許文献１２）は、既知の挿入セットのカップリングを開示している。同出願は、皮下に配置されたフォイルセンサーのための装着ベース部を含む。装着ベース部自体は、貼り付け式パッチとして、装着ベース部が患者の皮膚の表面に固着することができる感圧性接着剤を備える平らな下面を有する。装着ベース部とケーブルコネクタとの間の連結は、装着ベース部から延在する円筒形のコネクタ嵌合具により提供される。これは、ケーブルコネクタの対応するソケット内に嵌合する。円筒形のコネクタ嵌合具の基体の周りの「Ｏ」リングは、封止をもたらす。コネクタ嵌合具の端部は、部分的に切り欠きされ、「Ｄ字型」断面ができ、コネクタ嵌合具の軸線に平行な平らな表面が生成される。センサーフォイルのコンタクト軸受の頭部は、この平らな表面上に支持されている。コネクタ嵌合具とソケットが係合すると、ソケットタッチ内のスプリングコンタクトが、センサーフォイルの接触パッドに接触し、接続される。
【０００６】
現在、好適なセンサー電子機器（有線又は無線）を有するコネクタに連結できる、患者の皮膚に配置するための装着ベース部を含むセンサーセットが存在する。装着ベース部は、別に販売されてもよいので、センサーのデータに支障を来たす場合がある不適合型部品を共に取り付けることが可能である。更に、電流センサーの構造により、接触パッド及びそれぞれのセンサー電極の数が限定的になってしまう。
【先行技術文献】
【特許文献】
【０００７】
【特許文献１】米国特許第４，５６２，７５１号明細書
【特許文献２】米国特許第４，６７８，４０８号明細書
【特許文献３】米国特許第４，６８５，９０３号明細書
【特許文献４】米国特許第４，５７３，９９４号明細書
【特許文献５】米国特許第５，３９０，６７１号明細書
【特許文献６】米国特許第５，３９１，２５０号明細書
【特許文献７】米国特許第５，４８２，４７３号明細書
【特許文献８】米国特許第５，２９９，５７１号明細書
【特許文献９】米国特許第５，５８６，５５３号明細書
【特許文献１０】米国特許第５，５６８，８０６号明細書
【特許文献１１】米国特許出願公開第２００８／００６４９４４号公報
【特許文献１２】米国特許第７，６６０，６１５号明細書
【特許文献１３】米国特許第７，６０２，３１０号明細書
【特許文献１４】米国特許第５，８５１，１９７号明細書
【特許文献１５】米国特許第６，０９３，１７２号明細書
【特許文献１６】米国特許第６，２９３，９２５号明細書
【発明の概要】
【課題を解決するための手段】
【０００８】
１つの実施形態である本発明の第１の態様に従って、患者の特性を検知するためのセンサーセットが提供され、センサーセットは、血糖などの患者の特性を表す少なくとも１つの電気信号を生成するための、遠位端に遠位セグメントを有するセンサーであって、センサーは、近位端に少なくとも２つの接触パッドを含み、少なくとも２つの接触パッドのそれぞれは、遠位セグメントから電気信号を受信するように、遠位セグメントに連結されている、センサーと、患者の皮膚に装着するために動作可能である装着ベース部であって、装着ベース部は、装着ベース部の概ね後端部にコネクタ嵌合具を含み、コネクタ嵌合具は、センサーの一部のパススルー受容（pass through reception）ために内部に形成された中央孔を有する管状要素を含む、装着ベース部と、装着ベース部に連結するように動作可能であるコネクタであって、コネクタは、装着ベース部のコネクタ嵌合具を受容するようにサイズ決めされた管状凹部と、装着ベース部がコネクタに連結された場合、センサーの少なくとも２つの接触パッドに電気的に連結されるように動作可能である少なくとも２つのコネクタ接触部と、を含む、コネクタと、を備え、コネクタ嵌合具は、一端に形成されたキーを含み、センサーの近位端は、少なくとも２つの接触パッドのうちの少なくとも１つが、キーの第１の側に存在し、少なくとも２つの接触パッドのうちの少なくとも１つの他方が、キーの第２の側に存在するようにキーの周りで折られる。遠位セグメントは、例えば、ポテンシオスタットに構成され得る血糖を測定するための電極を含んでもよい。遠位セグメントと接触パッドとの間の連結部は、センサーに電力を供給し、かつ／又は信号を処理するための電子機器を含んでもよい。センサーは、既知の薄膜技術に従って製造された導体トラック及び電子的構成要素を有するフォイルであってもよい。
【０００９】
テストプラグは、装着ベース部に加えて、センサーセットの一部として含まれてもよい。テストプラグは、センサーセットの一部として、又は別体として販売されてもよい。また、他の部品を伴わず、装着ベース部又はコネクタなどのセンサーセットの部品を販売することも可能である。
【００１０】
コネクタの少なくとも２つのコネクタ接触部は、圧縮型ピンである。圧縮型ピンは、装着ベース部がコネクタに連結された場合、キーの第１の側及びキーの第２の側の中に圧縮されてもよい。
【００１１】
テストプラグが含まれ得ることもまた想起され、テストプラグは、構造は上述の実施形態と同一であるが、センサーは、遠位セグメントに連結する代わりに、接触パッドを有する可撓性回路フォイルにより代用され、テスト信号を生成するための回路を有する。
【００１２】
センサー又はテストプラグの回路フォイルは、短絡された参照電極及び対向電極となる短絡経路を含んでもよい。あるいは又は更には、センサー又はテストプラグ回路は、抵抗器を含んでもよい。
【００１３】
キーの形状は、実質的に卵形又は矩形であってもよい。実施形態では、キーの第１の側は、実質的に平らである。キーの第２の側もまた、実質的に平らであってもよく、あるいは実質的に平らな端部及び階段状部分を含んでもよい。キーの片面又は両面に、センサーの近位端を受容するための座部又は平面を含んでもよい。実施形態では、キーは、装着ベース部において形成された突起凹部に嵌合するように適合された少なくとも１つの突起を含む。キーの第１の側は、実質的に平らである。
【００１４】
装着ベース部は、コネクタ嵌合具の管状要素に概ね隣接する少なくとも１つのアームを含んでもよく、少なくとも１つのアームは、コネクタが装着ベース部に接続された場合、コネクタ内に形成された少なくとも１つの対応するアーム凹部内に嵌合するように形成されている。
【００１５】
コネクタ嵌合具は、コネクタ嵌合具の第１の側に形成された第１のサイドレールと、サイドレールの第２の側に形成された第２のサイドレールと、を含んでもよく、第１のサイドレール及び第２のサイドレールは、コネクタが装着ベース部に接続された場合、装着ベース部の管状凹部に形成された第１のスロット及びコネクタの管状凹部に形成された第２のスロットの中へ摺動するように動作可能である。
【００１６】
コネクタは、例えば、装着ベース部から信号を送信するように動作可能である無線送信機を含むセンサー電極を含んでもよい。少なくとも２つのセンサー電極は、特性を表す少なくとも２つの電気信号を生成するように動作可能であってもよく、少なくとも２つのコネクタ接触部は、少なくとも２つの電気信号を受信するように動作可能であってもよい。これらの電気信号は、無線送信機を介して送信されてもよく、又は有線で送信されてもよい。
【００１７】
装着ベース部及びコネクタは、装着ベース部をコネクタに係止するように動作可能である解放可能な相互係止型スナップ嵌めラッチ部材を有してもよい。
【００１８】
区画又はセグメントが切り欠きされている、コネクタ嵌合具の管状要素の延在部であるとして、キーを想像すると分かりやすい場合がある。したがって、例えば、特許文献１１に示すような「Ｄ字状」断面のキーの場合、切り欠き部分は、管状要素の下半分である。これは、キーが、シリンダから開始し、材料を取り除くことによって実際に製造されることを意味するのではなく、最終形状を画定するために有用であることを意味する。
【００１９】
第２の態様に従って、コネクタシステムは、端部に接触パッドを有するコネクタフォイルと、遠位端に形成されたキーを有する円筒形要素を有する円筒形コネクタ嵌合具であって、当該キーは、円筒形要素の切り欠き部分によって画定されて、円筒形要素の軸線にそれぞれ平行である２つの平らな表面を生成し、平らな表面は、互いから離れる方向に面している、コネクタ嵌合具と、円筒形要素を収容するようにサイズ決めされた管状凹部を有し、コネクタフォイルの接触パッドと係合するように位置付けられた接触部を有する、ソケット部であって、ソケット部は、当該切り欠き部分により空にされたスペースを占領する構造を有する、ソケット部と、を備え、コネクタフォイルの端部は、当該平らな表面のうちの第１の平らな表面に接触パッドが第１の平らな表面と反対側に位置するように載置されている。コネクタフォイルは、両方の平らな表面に位置するように、キーの端部を包み込み、接触パッドが前記平らな表面と反対側となるように配置されてもよい。キーの端部を包み込んでいるフォイルの代替案として、キーの一方側に対してだけ位置することができ、当該切り欠き部分により空にされたスペースを占領する構造は、キーの一方側におけるスプリングコンタクトと、キーの他方側における管状凹部の内側の突出部と、を含んでもよい。第１の平らな表面は、円筒形要素の直径上に位置し得る。したがって、キーのそれぞれの側には、接触部又はソケットの一部である突出部のいずれか一方が存在する。これは、コネクタシステムを安定化させるのに役立ち、より信頼性のある接続がもたらされる。
【００２０】
キーの端部は、所定のプロファイルを有してもよく、管状凹部の内側端部は、相補的な相互係合プロファイルを有してもよいこともまた想起される。これは、非適合型部品の係合を防止するために有用であり得る。
【００２１】
コネクタフォイルを保護するために、キーの平らな表面の側壁の使用により、更なる安定性が提供され得る。好ましくは、側壁は、フォイルの厚さほどの高さが少なくともあり、これによって、フォイルは、キーの平らな表面の浅い架台に据えられる。キーの端部の上に第１の折り目が存在する構成において、側壁は、第１の面にだけ存在してもよい。
【００２２】
更なる態様に従って、本発明は、患者の特性を検知するためのセンサーセットを提供し、センサーセットは、上述の態様のコネクタシステムを備え、コネクタフォイルは、近位端における接触パッドと、遠位端及び中間区画における検知構造と、を有する、医療センサーを含み、管状要素は、患者の皮膚に装着するために動作可能な装着ベース部の一部として形成され、医療センサーの中間区画のパススルー受容のための中央孔を有する。代替構成では、上記のコネクタシステムを含むテストプラグが提供され、コネクタフォイルは、プラグ部とソケット部とが係合した場合、ソケット部に連結された機器をテストするためのテスト回路を含む。
【００２３】
他の態様では、患者の特性を検知するためのセンサーセットが提供され、センサーセットは、患者の特性を表す少なくとも１つの電気信号を生成するための、遠位端に少なくとも２つのセンサー電極を有するセンサーであって、センサーは、近位端に少なくとも２つの接触パッドを含み、少なくとも２つの接触パッドのそれぞれは、少なくとも２つのセンサー電極のうちの少なくとも一方に導電的に連結されている、センサーと、患者の皮膚に装着し、センサーをセンサー電子機器に接続するように適合された装着ベース部であって、装着ベース部は、装着ベース部の概ね後端部にコネクタ嵌合具を含み、コネクタ嵌合具は、センサーの一部のパススルー受容のために内部に形成された中央孔を有する円筒形要素を含む、装着ベース部と、装着ベース部に連結するように適合されたコネクタであって、コネクタは、装着ベース部のコネクタ嵌合具を受容するようにサイズ決めされた円筒形凹部と、装着ベース部がコネクタに連結された場合、センサーの少なくとも２つの接触パッドに電気的に連結されるように適合されている少なくとも２つのコネクタ接触部と、を含む、コネクタと、を備え、装着ベース部は、１つ以上のラッチアームを含み、コネクタは、１つ以上のラッチ凹部を含み、１つ以上のラッチアームは、装着ベース部がコネクタに連結された場合、１つ以上のラッチ凹部に嵌合及び係止するように適合され、装着ベース部は、１つ以上の回転防止アームを更に含み、コネクタは、１つ以上の回転防止アーム凹部を含み、１つ以上の回転防止アームは、装着ベース部がコネクタに連結された場合、１つ以上の回転防止アーム凹部に嵌合するように適合されている。回転防止アームは、自身の高さよりも幅が広くてもよい。１つ以上のラッチ凹部は、１つ以上の回転防止アーム凹部と同じであり、１つ以上のラッチは、１つ以上の回転防止アームと同じ凹部に嵌合する。
【００２４】
装着ベース部は、１つ以上のラッチ凹部と同じ方向に延在している１つ以上のロックアウト柱状物を更に含んでもよく、装着ベース部がコネクタに連結された場合、コネクタは、ロックアウト柱状物に嵌合するように適合された１つ以上のロックアウトポケットを含む。
【００２５】
テストプラグは、同様の接続部により、コネクタに接続するように適合されてもよい。例えば、テストプラグは、テストプラグがコネクタに連結された場合、コネクタの１つ以上のラッチ凹部に嵌合及び係止するように適合された１つ以上のテストプラグラッチアームを含んでもよく、テストプラグは、テストプラグがコネクタに連結された場合、コネクタの１つ以上の回転防止凹部に嵌合するように適合された１つ以上のテストプラグ回転防止アームを更に含んでもよい。テストプラグは、テストプラグの中央区画と回転防止アームとの間の１つ以上の回転防止アーム延在部を含んでもよく、回転防止アーム延在部は、中央区画の頂部から回転防止アーム延在部まで傾斜している。テストプラグはまた、テストプラグがコネクタに連結された場合、コネクタのロックアウトポケットに嵌合するように適合された１つ以上のテストプラグラッチ凹部と同じ方向に延在する１つ以上のテストプラグロックアウト柱状物を含んでもよい。
【００２６】
コネクタ嵌合具は、一端に形成されたキーを含んでもよく、センサーの近位端は、少なくとも２つの接触パッドのうち少なくとも１つがキーの第１の側に存在し、少なくとも２つの接触パッドのうちの少なくとも１つの他方が、キーの第２の側に存在するように、キーの周りで折られる。キーは、装着ベース部において形成されたプロング凹部に嵌合するように適合された少なくとも１つのプロングを含んでもよい。キーの第１の側は、実質的に平らであってもよい。キーの第１の側及びキーの第２の側はそれぞれ、センサーの近位端を受容するための座部を含む。
【００２７】
コネクタの少なくとも２つのコネクタ接触部は、圧縮型ピンであってもよい。圧縮型ピンは、装着ベース部がコネクタに連結された場合、キーの第１の側及びキーの第２の側の中に圧縮される。
【００２８】
センサーは、短絡された参照電極及び対向電極となる短絡経路を含んでもよい。センサーは、抵抗器を含んでもよい。コネクタは、装着ベース部から信号を送信するように適合された無線送信機を含んでもよい。患者の特性は、血糖であることが想起される。少なくとも２つのセンサー電極は、特性を表す少なくとも２つの電気信号を生成するように適合され、少なくとも２つのコネクタ接触部は、少なくとも２つの電気信号を受信するように適合される。
【００２９】
更なる他の態様において、センサーのための装着ベース部は、装着ベース部の概ね後端部にコネクタ嵌合具を含み、コネクタ嵌合具は、センサーの一部のパススルー受容ために内部に形成された中央孔を有する円筒形要素を含み、センサーは、患者の特性を表す少なくとも１つの電気信号を生成するための、遠位端に少なくとも２つのセンサー電極を有し、センサーは、近位端に少なくとも２つの接触パッドを含み、少なくとも２つの接触パッドのそれぞれは、少なくとも２つのセンサー電極のうちの少なくとも１つに導電的に連結されている。装着ベース部はまた、コネクタの１つ以上のラッチ凹部に嵌合及び係止するように適合された１つ以上のラッチアームを含み、コネクタは、装着ベース部に連結し、センサーをセンサー電子機器に接続するように適合され、装着ベース部のコネクタ嵌合具を受容するようにサイズ決めされた円筒形凹部と、装着ベース部がコネクタに連結された場合、センサーの少なくとも２つの接触パッドに電気的に連結されるように適合されている少なくとも２つのコネクタ接触部と、を含む。そして、装着ベース部はまた、装着ベース部がコネクタに連結された場合、コネクタの１つ以上の回転防止凹部に嵌合するように適合された１つ以上の回転防止アームを含む。回転防止アームは、自身の高さよりも幅が広くてもよい。
【００３０】
次に、本開示のより完全な理解のために、以下の図を参照する。図中、同様の参照符号は、図面を通して同様のアイテムに言及している。
【図面の簡単な説明】
【００３１】
【図１】コネクタ及び装着ベース部の斜視図である。
【図２】コネクタ及びテストプラグの斜視図である。
【図３】無線センサー電子機器を有するコネクタの拡大図である。
【図４】挿入ツールを有するセンサーセットの斜視図である。
【図５】センサーを含む装着ベース部と、挿入ツールとの拡大図である。
【図６】センサーを含む、装着ベース部の部品のアセンブリを示す拡大斜視図である。
【図７】図６に示す、センサーを含む装着ベース部の下側拡大図である。
【図８】図６に示す装着ベース部の下側図である。
【図９】保持キャップを有する装着ベース部の別の拡大図である。
【図１０】保持キャップを有する装着ベース部の別の拡大図である。
【図１１】図１０に示す保持キャップの下側図である。
【図１２】保持キャップを有する装着ベース部の斜視図である。
【図１３】組み付けられた装着ベース部及び保持キャップに設置された挿入針の斜視図である。
【図１４】図１３の１１〜１１線に概ねよる断面図である。
【図１５】ケーブルコネクタの形態のコネクタの前方斜視図である。
【図１６】ケーブルコネクタの形態のコネクタの分解斜視図である。
【図１７】患者の皮膚に装着ベース部を配置した後、センサーセットから挿入針を摺動させて取り除くことを示す斜視図である。
【図１８】挿入針を取り除いた後、患者の皮膚に装着されたセンサーセット及びケーブルコネクタを示す斜視図である。
【図１９】テストプラグの上面図である。
【図２０】テストプラグの側面図である。
【図２１】テストプラグの斜視図である。
【図２２】コネクタの部分斜視図である。
【図２３】テストプラグの斜視図である。
【図２４】装着ベース部又はテストプラグの部分斜視図である。
【図２５Ａ】装着ベース部のソケット嵌合具に沿う断面図である。
【図２５Ｂ】装着ベース部のソケット嵌合具に沿う断面図である。
【図２５Ｃ】装着ベース部のソケット嵌合具に沿う断面図である。
【図２５Ｄ】装着ベース部における接触部として使用されるピンの拡大斜視図である。
【図２５Ｅ】装着ベース部における接触部として使用されるピンの拡大斜視図である。
【図２５Ｆ】テストプラグに連結されたコネクタの切り欠き図である。
【図２６】コネクタとテストプラグ又は装着ベース部との間の接続を示すモックアップの斜視図である。
【図２７Ａ】テストプラグ又は装着ベース部とコネクタとの間の様々なロックアウト接続の切り欠き図である。
【図２７Ｂ】テストプラグ又は装着ベース部とコネクタとの間の様々なロックアウト接続の切り欠き図である。
【図２７Ｃ】テストプラグ又は装着ベース部とコネクタとの間の様々なロックアウト接続の切り欠き図である。
【図２７Ｄ】テストプラグ又は装着ベース部とコネクタとの間の様々なロックアウト接続の切り欠き図である。
【図２７Ｅ】テストプラグ又は装着ベース部とコネクタとの間の様々なロックアウト接続の切り欠き図である。
【図２７Ｆ】テストプラグ又は装着ベース部とコネクタとの間の様々なロックアウト接続の切り欠き図である。
【図２８】センサーのための接触パッドの図である。
【図２９】装着ベース部の斜視図である。
【図３０】装着ベース部の斜視図である。
【図３１】装着ベース部の側面図である。
【図３２】コネクタの部分斜視図である。
【図３３】コネクタの部分近接側面図である。
【図３４】装着ベース部の斜視図である。
【図３５】コネクタの部分斜視図である。
【図３６】テストプラグの斜視図である。
【図３７】テストプラグの斜視図である。
【図３８】センサーを有する装着ベース部の内部部分切り欠き図である。
【発明を実施するための形態】
【００３２】
以下の説明及び図面は、当業者が説明されるシステム及び方法を実践できる程度に十分具体的な実施形態を示している。他の実施形態は、構造的で論理的なプロセス及び他の変更を組み込むことができる。例は、単に可能な変更例を示している。明確に必要とされない限り、個々の要素及び機能は、全般的に任意選択的であり、動作のシーケンスは、多様であってもよい。いくつかの実施形態の部分及び特徴は、他の部分及び特徴に含まれてもよく、あるいは代用されてもよい。特に、テストプラグとコネクタとの間の連結に関して説明される任意の構造はまた、対応する装着ベース部とコネクタとの間の連結にも適用される。
【００３３】
例示的な図面に示されるように、改良されたセンサーセットは、体の身体的特性をモニタするために提供される。センサーセットの様々な部品間の接続の改良された構造もまた提供される。１つの例示的な身体的特性は、体の血糖値である。図１に示すように、センサーセットの実施形態は、センサー装着ベース部３０と、コネクタ２０と、を備える。図１に示すコネクタ２０は、ハウジング内にセンサー送信機（図示せず）を有する無線センサー電子機器を含む。
【００３４】
コネクタ２０の更なる詳細は、図３の検討において以下に与えられる。図１に示す装着ベース部３０は、以下の図６及び図７に最もわかりやすく示されるように、薄膜センサーのフォイルのための装着部として機能する。装着ベース部３０は、貼り付け式パッチとして、装着ベース部３０が患者の皮膚の表面に固着することができる感圧性接着剤（図示せず）を任意選択的に備えた平らな下面を有するハウジングからなる。装着ベース部３０の１つの縁部は、軸孔４４を有する円筒形又は管状要素４２を有する円筒形のコネクタ嵌合具３６を含む。円筒形又は管状要素４２は、軸線に平行な平らな表面を含むキー５０を画定する切り欠かれた先端部を有する。センサーの近位端に露出した接触パッド１８は、この平らな表面により支持される。センサーのフォイルの中間区画は、円筒形又は管状要素の孔４４を通ってフォイルを通過させ、装着ベース部の下面を通ってフォイルを外に出し、その結果、接触パッド１８が患者の皮膚の下の感知要素に接続される。グルコース濃度を感知するため、感知要素は、典型的には、ポテンシオスタットの電極１５であってもよい。接触パッドと感知要素との間の接続は、任意選択的に処理回路を含む。
【００３５】
センサー装着ベース部３０は、円筒形のコネクタ嵌合具３６によってコネクタ２０と連結する。コネクタ２０は、装着ベース部のコネクタ嵌合具３６と滑合係合するようにサイズ決めされたソケット９２を含む。円筒形又は管状要素４２は、任意選択的に、表面における外部溝４６に据えられた一対の離間した「Ｏ」リング４８を備えて、ソケット９２の内側の対応する表面に対して封止し、防湿性の連結を形成する。コネクタ嵌合具３６の両側で、装着ベース部３０は、コネクタ２０のラッチ凹部１００にはめ込んで、ラッチ凹部１００内に保持され得る弾性ラッチアーム９７及びラッチ先端部９８を有する。装着ベース部３０がコネクタ２０に連結されると、ラッチ先端部９８は、ラッチ凹部１００に係止する。これらは、ラッチアーム９７を押すことにより解放され、コネクタ２０を装着ベース部から取り外すことができる。狭く、概ね卵形状又は矩形形状の嵌合キー５０は、コネクタ２０のソケット嵌合具９２の中へ摺動するように適合された円筒形又は管状要素の後方延在部として形成される。
【００３６】
上述のように、円筒形又は管状要素４２から延在するコネクタ嵌合具３６の最先端部は、キー５０を含む。キー５０は、本質的に円筒形状であり、その両側が平行であるか、あるいは端部が若干テーパー状であるかいずれか一方である。この端部の形状の外側の区画が取り除かれて、管状要素の軸線に対して平行な２つ以上の平らな表面が残る。図１に示す構成では、キー５０は、下半分全体が取り除かれ、下向きの「Ｄ字状」断面が形成される。「Ｄ字」の上側の一対の区画が取り除かれて、中央隆起部により分離された一対の平らな表面が生成される。この構造は、図２４により詳細に示されている。一対の平らな表面は、「Ｄ字」形状の直線側の平らな表面から対向する方向に向いている。コネクタ２０のソケット９２内の対応して成形された構造により、コネクタ嵌合具は、２つの平行する側面から支持され、これによって安定性が改善される。図１の構成では、装着ベース部により支持された薄膜センサー（図示せず）のフォイル上の接続パッドは、「Ｄ字」の断面の直線側に形成する表面に対して据えられる。これらの接続パッドは、コネクタ２０のソケット９２内部のスプリングコンタクトに係合する。一対の平らな表面は、他の方向を向き、接触部を有していないが、それでもコネクタ２０のソケット９２の対応する突起の表面と係合する。
【００３７】
コネクタ２０はまた、テストプラグ１３０と共に使用することができ、その一実施形態が図２に示されている。かかるテストプラグ１３０は、コネクタ２０との接続に対するコネクタ嵌合具３６という点では、図１に示される装着ベース部３０と同一の全体構成を有してもよい。但し、図２の構成は、コネクタ嵌合具３６に対する重要な代替的構成を示している。かかるコネクタ嵌合具３６はまた、図１の装着ベース部用として使用されてもよい。図２の構成並びに管状要素４２の軸線に平行な平らな表面を形成するキー５０の下半分の除去において、キー５０の上面の形状から一区画を取り除くことにより平らな表面が形成される。これによって、キー５０は、断面が丸みを帯びた辺を有する台形形状を有する。この構成はまた、図１９〜図２３に示され、以下により詳細に説明される。図２のコネクタ嵌合具３６が提供されると、対向する方向を向く一対の平らな表面は、図２のテストプラグ又は図１の装着ベース部がコネクタ２０内の両側から支持されることを可能とする。また、この構成により、コネクタフォイルがキーの端部の周りを包むことができるので、より多数の接触部を有するフォイルへの接続が可能になる。これにより、下面の１セットの接触部及び上面の他のセットの接触部がもたらされる。この場合、コネクタ２０内の接触部を介して、安定力及び集中力がもたらされ得る。センサーコネクタ２０に取り付けられた場合、図２に示すテストプラグは、「Ｏ」封止リング４８により強固な封止が提供され、その結果、患者は、水がソケット９２に侵入してくる危険性を伴うことなくこれらの部品を洗浄することができる。このことは、無線送信機を有する実施形態で有用であり、特に、コネクタ２０内に封止される実施形態において有用である。テストプラグ１３０により、任意のセンサーからデータを受信せずに、コネクタ２０内の無線送信機又は他のセンサー電子機器のテストもまた可能になる。したがって、センサー電子機器を、単独でかつ外部のセンサーノイズを伴うことなくテストできる。装着ベース部３０のように、テストプラグ１３０は、コネクタ２０のソケット嵌合具９２の中へ摺動するように適合されたキー５０を含む。テストプラグ１３０はまた、コネクタ２０上のラッチ凹部１００と相互作用できるラッチアーム９７及びラッチ先端部９８を含む。テストプラグ１３０がコネクタ２０に連結されると、ラッチ先端部９８は、ラッチ凹部１００内に係止する。これらは、ラッチアーム９７を押すことにより解放され、コネクタ２０を取り外すことができる。実際には、市販されるようなセンサーキットは、コネクタと、装着ベース部と、テストプラグと、を含んでもよく、コネクタは、テストプラグ及び装着ベース部の両方と物理的に接続可能であり、電気的に適合性であるように構成されている。
【００３８】
統一するために、装着ベース部及びテストプラグの両方のケースにおいて、コネクタ嵌合具３６の一部を形成する「管状要素」４２について本明細書において引き続き言及する。しかしながら、管状要素が中実の（つまり、内部を通る孔がない状態である）場合が想起される。これは、テストプラグのための回路の全てが接触フォイルに装着された場合、あるいはセンサーの場合は、遠位端への接続が要素を通りぬける必要がない場合であり得る。
【００３９】
テストプラグ１３０により任意のセンサーからデータを受信せずに、コネクタ２０内の無線送信機又は他のセンサー電子機器のテストもまた可能になる。したがって、センサー電子機器を、単独でかつ外部のセンサーノイズを伴うことなくテストできる。例えば、テストプラグは、センサー電子機器により検出でき、モニタデバイスにより読み取ることができる５３．５＋／−１０％などの単流を生成する単純なテスターであってもよい。ある実施形態では、テスターは、本明細書で説明される参照電極及び対向電極を短絡させる。
【００４０】
無線送信機を有するセンサー電子機器を含む例示的なコネクタ２０が図３に示される。ハウジングは、上側シェルハウジング部分２０１及び下側シェルハウジング部分２０７からなる。ハウジングは、回路基板２０２と、アンテナ２０３と、を含む。回路基板は、特定用途向け集積回路（ＡＳＩＣ）を含んでもよい。１つの好ましいアンテナ形状が図３に示されているが、好適なアンテナをコネクタに嵌合させることが可能であると考えられる他の構成が想到される。センサー装着ベース部３０がコネクタ２０に接続されると、回路基板２０２のセンサー電子機器が、装着ベース部３０に収納されたセンサーから信号を受信でき、装着ベース部３０が、コネクタ嵌合具３６のキー５０のプロファイルにより、コネクタ２０に接触した状態で確実に安定して保持されるように、接触プラグ／ピンのハウジング２０６は、成型されたピン２０５を保持し、ソケット９２の内部を形成するハウジング２０１／２０７の内部に据えられる。無線送信機を含むセンサー電子機器は、例えば、参照により本明細書に援用される特許文献１３において検討されている。
【００４１】
図１及び図２に関して記載された構成における代替案として、コネクタは、ディスプレイを備えても備えなくてもよいモニタに直接配線されたケーブルの終端部を含んでもよい。ユーザのニーズに応じて、ワイヤコネクタだけを含んでもよく、あるいはワイヤコネクタも含む複数のセンサー電子機器を含んでもよい。
【００４２】
コネクタ２０は、充電式電池などの充電式電源を含んでもよい。充電式電源は、コネクタを保持するか、あるいは電源を再充電するためにコネクタに別の方法で連結されている充電器を使って充電されてもよい。例示的な充電器は、例えば、参照により本明細書に援用されている２００９年５月１日出願の米国特許出願第１２／４３４，０７６号に示されている。
【００４３】
センサーセット及び任意の関連するモニタは、ユーザの体及び／又は体液内のグルコースレベルを判定するために好適なタイプであってもよく、参照により本明細書に援用されている特許文献１〜４に説明されるような、インシュリンを糖尿病患者に対して送達するための外付けタイプ又は埋込タイプの自動又は半自動化医薬輸液ポンプと合わせて使用され得る。ただし、本発明は、ホルモン、コレステロール、服薬濃度、ｐＨ、酸素飽和度、ウイルス量（例えば、ＨＶ）などの他の作用剤、特性、又は組成物のレベルを判定する構成において使用してもよいことが理解さるだろう。センサーセットはまた、センサー電子機器により受信されたデータを使って、プログラム又は校正される機能を含んでもよく、あるいはセンサーセットは、モニタデバイスにて校正されてもよい。センサーシステムは、ヒト皮下組織における使用に主に適合されている。しかしながら、センサーシステムは、筋肉、リンパ、臓器組織、静脈、動脈等の他のタイプの組織に配置されてもよく、動物の組織に使用されてもよい。用語「患者」は、ヒト及び他の動物を包含するように広く解釈でき、用語「血液」は、患者の血液及び他の患者の細胞外液を包含することを理解されたい。実施形態は、断続的に又は継続的にセンサーの計測値を提供することができる。
【００４４】
本明細書で主に議論されるセンサーセットは、電極タイプのセンサーを使用している。しかしながら、システムは、化学系、光学系などの他のタイプのセンサーを使用してもよい。センサーは、皮膚の外側表面上で使用されるタイプであってもよく、あるいはユーザの皮膚層の下に配置されるタイプであってもよい。ある表面装着型センサーは、皮膚の下から採取する組織液を利用できると考えられる。
【００４５】
コネクタが無線送信機を含むセンサー電子機器を有する場合、センサー電子機器は、全般的には、データを送信する機能を有する。ただし、代替の実施形態では、これらのセンサー電子機器は、受信機を含んでもよく、あるいは送信機は、データを受信する機能を有する送受信機であってもよい。図４〜図１８は、モニタ又はディスプレイを含み得る別個のセンサー電子機器に信号を搬送でき、外部モニタ又はディスプレイにデータを（あるいは代替的に）送信もできるワイヤへの直接接続を示す。
【００４６】
図６〜図８に示すように、可撓性薄型のセンサー１２のフォイルは、ポリイミドフィルム又はシートなどの選択された絶縁性シート材料の層の間に埋め込まれるか又は包み込まれた細長導電素子２４（図６）を含むために、所謂、薄型マスク手法に従って構築され得る相対的に薄い細長要素を含む。いくつかの実施形態では、可撓性薄型センサーは、可撓性チューブに含有されて、支持がもたらされてもよい。しかしながら、センサーのベース部への組み付けを容易にし、可撓性チューブがなくてもセンサーのキンクの事例を減少させるために、より厚いセンサーが十分に固いことも可能である。約１７〜４０マイクロメートル、例えば、２５マイクロメートルの厚さは、この安定性を提供するには十分厚い。センサー１２の近位端すなわち頭部１６は、相対的に拡大し、より詳細に説明されるように、ケーブル２２への電気的接続のために絶縁性シート材料を通って露出される導電性接触パッド１８を画定している。センサー１２の反対側のセグメントすなわち遠位セグメントは、センサーの遠位セグメントが患者の体内に配置された場合、患者の体液に接触するための複数の対応する露出したセンサー電極１５を含む。センサー電極１５は、患者の状況を表す電気信号を発生させるが、これらの信号は、接触パッド１８、及びセンサー電子機器（有線又は無線）又は単なるワイヤへの接続を含んでもよいコネクタを介して、記録のための適切なモニタリングデバイス（図示せず）及び／又は患者の状況をモニタするディスプレイに送信される。この一般的なタイプの可撓性薄型センサーの更なる説明は、参照により本明細書に援用されている特許文献６において見出すことができる。有線型センサー電子機器の更なる説明は、参照により本明細書に援用されている特許文献１３において見出すことができる。
【００４７】
参照により本明細書に援用された特許に示された方法に加えて、均一の白金形態が可能になる、非めっき前処理型ウエットエッチング（no-pre-plating wet etching）プロセス又はパルス＋直流めっき（pulsed + DC plating）プロセスによりセンサーを作製できる。酵素封入法では、グルコース酸化（ＧＯｘ）酵素は、ＵＶ露出すると架橋する感光性重合体内に封入される。このタイプの感光性重合体を使えば、グルタルアルデヒド架橋工程の必要がなくなり、感光性重合体の選択的な硬化により、感知用作用電極に亘ってだけ酵素を有する能力がもたらされる。
【００４８】
センサー１２は、センサーセットにより搬送されるが、具体的には、選択された挿入場所において患者の皮膚（図１７及び図１８）に対して配置されるように適合された装着ベース部３０上で搬送される。センサーセットは、全般的には、患者の皮膚に装着しているプレスオン型接着剤のための接着パッチ３４に取り付けられた概ね平面又は平らな下側表面３２（図７及び図８）を有するコンパクトな装着ベース部３０を含む。パッチは、快適性に関して大きすぎないか、あるいは簡単に患者に取り付けるのに大きすぎないが、皮膚に対してできるだけ多くの接着性を有するようにサイズ決めされ得る。接着パッチは、快適性を増大させ、薄さによる失敗を減少させる伸縮性を有する材料で製造されてもよい。接着パッチ以外の、装着ベース部を患者の皮膚に取り付ける代替的な方法もまた想到することができることを理解されたい。装着ベース部３０は、全般的に、患者による非常に多くの活動に亘って快適に装着され得るように軽いプラスチックから製造される。装着ベース部３０は、無線送信機、有線電子機器、又は外部センサー電子機器及び／若しくはモニタへの接続のためのケーブルだけを含み得るセンサーコネクタ２０と滑合連結するためのコネクタ嵌合具３６を含んで、軽いプラスチックの単一の成型物として製造されてもよい。コネクタ嵌合具３６を通る孔４４は、装着ベース部３０の上面４０に形成された上向き開口凹型溝又はチャンネル３８に通じて（例えば、図６）、近位端すなわち頭部１６と遠位端との間のセンサー１２を受容及び支持する。
【００４９】
図５〜図８は、凹型チャンネル３８の後方端と概ね同軸状に整列した中央孔４４を画定している後方に突出している管状要素４２を含む装着ベース部３０を示す。管状要素４２は、説明するように、ケーブルコネクタ２０との封止された滑合係合のために適合された封止リング４８を受容するための外部溝４６（図５）を含む。管状要素４２の後方端は、湾曲した背面の頂点の一対の平らな表面を有する「Ｄ字状」断面を含む後方延在部として形成されたキー５０で終端する。したがって、キーは、両側の管状要素の軸線に対して平行に延在し、互いから離れる方向に面する平らな表面を有する。コネクタに係合すると、「Ｄ字」の直線側を含む平らな表面は、コネクタ内のスプリングコンタクトに対して接触パッド１８を支持する一方、「Ｄ字」の頂点から取り外された材料に対応する一対の平らな表面は、コネクタ内の構造と係合し、安定性及び反力がもたらされる。
【００５０】
図１９〜図２３は、テストプラグ及びコネクタに関する連結構成を示す。但し、対応する装着ベース部に対しては、同じ配置が考えられる。以下の説明では、装着ベース部及びテストプラグの両方の変形例を検討することとなる。装着ベース部の場合は、接触部は、直接電極に繋がるか、あるいは電極において装着された回路を介して電極に繋がるセンサーの近位端の接触部を意味する。テストプラグの場合は、電極は、テスト回路の電極である。図２８を参照して、以下の説明から明らかなように、テストプラグ及び実際のセンサーの接触部の構成又はレイアウトは同一である。
【００５１】
図１９〜図２１に示すように、キー５０の上部及び下部は、それぞれ実質的に平らであり、それぞれ、浅い平面すなわち座部１５２及び１５３を組み込んでいる。凹型座部は、可撓性テスト回路を受容及び支持するようにサイズ決め及び形状決めされ、図９に示すような装着ベース部の場合、細長のセンサー１２の近位端が孔４４を通って当該頭部１６から延在し、凹型チャンネル３８内に存在している、センサー１２の近位頭部１６を受容及び支持するようにサイズ決め及び形状決めされている。キーの下面が幅が狭い深さから若干幅が広い深さに変化することを可能にする凹型座部は、シェルフ１５４（図２０）を含み得る。このシェルフにより、適合する凹部を含む、センサーコネクタの適合可能な接続片だけへの現在のキーの固有の嵌合が可能になる。シェルフは、接続の耐性及び堅牢性を更に改善する。図２１において見られるように、センサー１２の又は可撓性テスト回路の近位頭部１６は、接触部が両方の座部１５２及び１５３に存在するようにキー５０の周りで折られるように構成されてもよい。本構成の実施形態では、センサーの可撓性テスト回路又は近位頭部１６は、２つのセットの接触パッド１８を含んでもよい。例えば、図２８では、接触パッドの図の１つの実施形態が示されている。図示された接触パッドのうち、２つは参照電極（１８０、１８１）用であり、２つは対向電極（１８４、１８５）用であり、１つは、２つの作用電極（１８２、１８３）の各々用である。
【００５２】
短絡経路１８６により、参照電極／対向電極の短絡が可能になり、抵抗器を使用して、追加の（複数の）作用電極及び（複数の）対向電極を構成することができる。同じスペースに接触パッドを追加することを可能にすることによって、装着ベース部又はコネクタの追加のサイズの必要性を伴わずに、追加の電極をセンサーにおいて使用できる。図２８に示された構成において、１つのセットの接触パッドがキー５０の両側に存在するように、基板１８０の折り目は、直線１８００−１８００に概ね沿う。代替の実施形態では、本明細書の他の実施形態に示すように、単一のセットの接触部をキー５０の一方側だけに含めることができると考えられる。
【００５３】
図２３に示すように、キー５０は、コネクタ（図示せず）内のそれぞれのプロング凹部に嵌合し、他の不適合のコネクタをロックアウトするプロング５０１及び５０２を含んでもよい。プロングはまた、連結の回転安定性を補助し、コネクタと装着ベース部との間の良好な接続の確保を補助する。コネクタにおけるそれぞれのプロング凹部は、図３１（コネクタの部分図）に示されている。
【００５４】
図８に例として示される代替の実施形態では、管状要素４２の後方端は、管状要素の後方延在部として形成された上部に一対の切り抜きを有する概ねＤ形状又は半円の嵌合キー５０で終端し、キー５０は、孔４４の後方端に形成された浅い凹型平面すなわち座部５２を組み込んでいる。凹型座部５２は、センサー１２の近位頭部１６を受容及び支持する。
【００５５】
更なる実施形態では、管状要素４２の後方端は、上部が切り抜きされて、（図２４に示すような）レール５０３を形成している概ねＤ形状又は半円の嵌合キー５０で終端する。このレール５０３は、装着ベース部の（図２５Ｂに示すような）トレンチ１２５に対応する。レールにより、更なる安定性がもたらされ、レール／トレンチの構成を含まない他の非適合型部品がレール／トレンチの構成を有する部品と連結することを防止できる。
【００５６】
実施形態では、センサー１２の頭部１６は、好適な接着剤等によって（複数の）凹型座部５２，１５２、１５３内に固定されるか、又は据えられる。更に、センサー１２を孔４４を通って配置した後、孔４４は、硬化性シリコーン封止材などの好適な封止材で密封して封止されてもよい。
【００５７】
センサーコネクタ２０との滑合係合を容易にするために、座部５２は、孔４４の中心軸線から後方かつ上方に角度を付けて傾斜するように形成されてもよく、これによって、下方にかつ角度を付けて後方に提示された接触パッド１８によりセンサー頭部１６を支持することができる。
【００５８】
上述のキーの両方の構成が、適合性を相違させる様々な装着ベース部に存在することができるので、キーは、装着ベース部３０のある構成がコネクタ２０の他の構成と使用されることを防止するように更に機能する。したがって、キーにより、センサーのコネクタ及び関連するモニタに対する適合性を確保することが可能になり、化学的又は技術的非適合部分が互いと共に使用されることが防止される。
【００５９】
したがって、実施形態では、装着ベース部３０の凹型チャンネル３８は、薄型のセンサー１２の近位セグメントを受容及び支持する。図６、図９、及び図１０に示すように、凹型チャンネル３８は、概ね水平の向きを維持したまま、嵌合用孔４４から前方に延在し、その後、約４５度の角度で下方及び前方に曲がって、装着ベース部の前端又はノーズに形成された前方に開口した隙間５４の中の角度付き面５３に沿って延在する。いくつかの実施形態では、カニューレ５８は、センサー１２の近位セグメントの少なくとも一部に亘って摺動可能に嵌合されて、遠位セグメントにも亘って延在して、センサーを包み込み、保護している。好ましい形態では、カニューレは、ウレタン系プラスチックなどの軽量のプラスチック材料から製造され、ダブルルーメン構成を有する。ダブルルーメン型のカニューレ５８は、より詳しく説明されるように、挿入針１４に対する滑合係合及び係合解除のために特に好適であり、センサー電極１５を露出させるための窓５９を含む。センサー１２を受容及び支持し、挿入針１４と摺動可能に内部嵌合するための具体的なカニューレの構造は、参照により本明細書に援用されている特許文献９に更に詳細に図示及び記載されている。
【００６０】
更なる実施形態では、挿入方法は、センサーセットの一部として含まれる。例えば、保持キャップ６０により、センサーセットの挿入が可能になる。実施形態では、センサー１２の近位端及びセンサーのカニューレ５８の一部は、図１０に示すように折られて、装着ベース部のチャンネル３８の外形に追従し、センサーの遠位セグメント及びセンサーのカニューレは、装着ベース部３０の前から下方にかつ前方に延在及び突出している。センサー及びカニューレは、図１０〜図１２に示す保持キャップ６０によりこの向きで捕捉及び保持され得る。この保持キャップ６０はまた、軽量プラスチック成型品として便利にかつ経済的に形成されてもよく、装着ベース部３０に対する素早く簡易なスナップ嵌め取り付けのための手段を含む。保持キャップ６０が装着ベース部３０に組み付けられると、これらの部品は、チャンネル３８の上部を協働で閉じて、センサー及び内部のカニューレを捕捉及び保持する。保持キャップ６０は、挿入針１４のパススルー受容のための針ポート７８（図１２及び図１３）を更に画定する。挿入針１４は、広がったハブ８０に固定された、尖っているか又は鋭い先端及び後端を有する、空洞で長手方向にスロットが付いた形体（図１４）を有する。スロット型針を摺動させ、カニューレ５８の前方及び下方に角度を付けた部分の中でカニューレ５８と係合させるために、ハブ８０を手動で操作して、挿入針１４をキャップポート７８を通って嵌合させる。この点において、針ポート７８は、針ポート７８と挿入針１４との間の正しい滑合係合を確保するために、カニューレ５８に対する適切な角度及び回転位置合わせに対して挿入針１４を配向させるようにサイズ及び形状が決められる。
【００６１】
より詳細には、ハブ８０は、親指と人差し指との間で簡単に把持し、取り扱いするために適合された拡大タブ状ウィング８２を含む。この拡大ウィング８２は、保持キャップ６０の上昇した中央区画８６の両側で、装着ベース部の上面４０に据えられるようにサイズ及び形状が決められる分岐ノーズ８４から上方に突出している。ハブのノーズ８４は、装着ベース部３０上の関連する調整アライメント面に噛合して接触するために、画定された調整アライメント面又はガイド面８８に沿って輪郭を有する。なお、アライメント面は、支持ブラケット６８の上面４０と、支持ブラケット６８の角度を付けて提示される前方面９０と、によって画定される。この形状により、ハブ８０は、カニューレ５８に対して滑合係合及び係合解除するための正しい角度及び回転方向で、挿入針１４がキャップポート７８の中を通って延在している状態で、装着ベース部３０に対して摺動可能に変位する。好ましい形態では、挿入針１４は、参照により本明細書に援用される特許文献９に説明されるように、カニューレ５８に摺動可能に組み付けられて、装着ベース部から突出する概ね円形の断面形状（図１４）を提供する。
【００６２】
図１５及び図１６は、組み付けられた挿入セット１０と連結するためのコネクタ２０を示す。モニタ又はディスプレイに対する有線接続のためにケーブルコネクタが使用される。代わりに、ケーブルコネクタの接続用部品は、モニタ又はディスプレイに対して有線又は無線送信が可能であるセンサー電子機器を含むコネクタ上にあってもよい。図示されるように、ケーブルコネクタ２０は、軽量の成型プラスチックからまた製造することができるコンパクトな連結要素を含む。ケーブルコネクタ２０は、装着ベース部３０の後方のケーブル嵌合具３６と滑合係合するように噛合するためのソケット嵌合具９２を画定する。ソケット嵌合具９２は、嵌合具３６のＤ形状のキー５０を受容するようにサイズ決めされた概ねＤ形状又は半円段差部分９４と合体する円筒形の入口部分９３を有する。円筒形のソケットの上部に設けられた下面が平らな挿入部は、図６〜図１３の「Ｄ字状」断面の上部における平面に対する反作用を提供する。図示されるように、ソケット嵌合具９２は、挿入セット３０又はテストプラグ１３０と、ケーブルコネクタ２０とが共に連結されると、装着ベース部の実施形態の場合、センサー１２の接触パッド１８と、又はテストプラグ実施形態の場合、テスト回路の接触パッド１８と、の電気的に連結された係合のための、段差部分９４に位置付けられた複数の導電性接触部９６（図１５）を含む。図１６を参照して、組み付けられると、封止リング４８は、ソケット嵌合具９２の入口部分９３を封止して係合して、部品間の封止接続がもたらされる。内部嵌合部品５０及び９４の形状により、センサー１２のケーブル２２の正しい導電性連結のための一方向の内部接続が確保される。
【００６３】
より進歩した挿入ツールを使って、センサーを患者に挿入してもよい。本発明の装着ベース部と相互作用できる挿入ツールは、例えば、参照により本明細書に援用される、特許文献１４〜１６に示されている。実施形態では、図３７に示すように、装着ベース部は、挿入ツールと相互作用するための１つ以上のはめ込み切り欠き部７７を含み、ある挿入ツールに対する相互作用がより特異的となる。はめ込み切り欠き部７７はまた、挿入中、より良好な安定性を可能にすることができる。
【００６４】
更なる実施形態では、図３８（部分切り欠き図）に示すように、シムを装着ベース部３０に取り付けてもよい。シム１７は、引き抜かれることを防止するためセンサー１２の一部として取り付けられる。これにより、挿入中、センサーと針との間の摩擦が最小になり、装着ベース部のキャビティ内の移動のための余裕が排除され、装着ベース部の易損性ネックダウン領域に沿うセンサーの剛性が改善される。
【００６５】
導電性接触部９６のいくつかの実施形態が図２５Ａ〜図２５Ｆに示されている。ある数の導電性接触部がこれらの図に示され、対応する数のセンサー接触パッドが本明細書の他の図に示される一方、検知された体の特性に関連するデータを判定できるほど十分な数である限り、異なる数の導電性接触部及び対応するセンサー接触パッドを使用できることが想到される。図２５Ａ〜図２５Ｃは、内部の導電性接触部９６を有するソケット嵌合具９２の切り欠き図を示す。図２５Ａは、上部に２つの平面を有し（図４〜図１８）、キーがソケット嵌合具９２に嵌合すると、導電性接触部９６が、キー５０の接触パッドに触れるピンとなる概ねＤ字形状部分９４の嵌合具を示す。図２５Ｂは、Ｄ字形状が若干切り欠きされ、ランナー１２５に嵌合するレールが加えられている他の実施形態を示す。ランナー１２５により、非適合型部品がこのセンサーコネクタ共に使用されることが阻止することができるだけでなく、回転安定性など追加の安定性もまた付与される。図２５Ｃは、導電性接触部がキーの両側に存在するので、導電性接触部に接触することとなる２つのセットのピン９６が存在している実施形態を示す。導電性ピンの更なる図を図２５Ｄ（図２５Ａと図２５Ｂからのピン）と、図２５Ｅ（拡大形態で示す図２５Ｃからのピン）とに示す。図２５Ｆは、テストプラグ１３０がコネクタ２０に嵌合する実施形態を示す。ピンの形態により、キーがソケットに挿入された場合、ピンがある程度圧縮される。互いに接触するような正確な成形物を必要とする２つの非可撓性接触部を有する状況とは異なり、この圧縮により、接触パッドが毎回ピンに接触することが確実になる。更に、これらのピンがキー５０の接触パッドに押し込まれている間、これらのピンにより、追加の安定性がもたらされることとなる。
【００６６】
装着ベース部３０及びケーブルコネクタ２０は、相互に係合しているスナップ嵌めラッチ部材により、解放可能な連結関係で保持されている。例えば、図１５及び図１６に示されるように、装着ベース部３０は、それぞれのアンダーカットラッチ先端部９８の後方端で終端する一対の後方突出カンチレバー型ラッチアーム９７を含むように形成されている。ラッチアーム９７は、装着ベース部３０の残部に対する動きに対して十分かつ自然に弾力性があり、その結果、ラッチアームが互いに向かって内側に締め付けられる。許容可動域は、ソケット嵌合具９２の両側に、ケーブルコネクタ２０において形成されたラッチ凹部１００の対応する対にラッチ先端部９８がスナップ嵌め係合することを許容し、ラッチ凹部１００は、当該ラッチ先端部９８と係合するためのラッチキーパー１０２と並んでいる。装着ベース部３０をケーブルコネクタ２０から軸方向に分離する一方、所望の場合、ラッチキーパー１０２から解放するために互いに向かって内側にラッチアーム９７を手動で圧搾することにより、部品を外すために係合解除することができる。
【００６７】
更に、図１９及び図３４に示すように、テストプラグ１３０（図３４に図示せず）又は装着ベース部３０（図１９に図示せず）は、回転防止アーム１１５及び１１６を含む。ある実施形態では、図１９のように、回転防止アームは、キー５０を含む管状要素４２に概ね隣接している。（図２２に部分的に示された）コネクタ２０は、回転防止アームと対応及び嵌合する回転防止アーム凹部２１５及び２１６を含む。図２２に示す実施形態では、コネクタはまた、テストプラグ／装着ベース部のラッチ先端部９８のように、回転防止アームにフックがある場合、回転防止アームを捕捉することができる捕捉凹部２１７及び２１８を含む。これらの回転防止部品は、コネクタ２０に対する、装着ベース部３０及びテストプラグ１３０の回転を防止する役割を果たし、コネクタが、適合可能なテストプラグ及び装着ベース部だけと共に使用されることを確実にさせる役割を果たし、物理的性質又は技術的性質の適合性に関する問題を避けることができる。更なる実施形態では、回転防止アームの幅及び／又は高さは、前述の非適合型部品をロックアウトするように変更されてもよい。管状要素の両側の回転防止アームにより、回転が防止され、更なる安定性がもたらされ得る。それぞれの回転防止アームにより、他の回転防止アームを中心とする回転並びに管状要素を中心とする回転が防止される。かかる回転防止アームは、本明細書に記載されたテストプラグ又は装着ベース部のうちいずれかに組み込まれてもよい。あるいは、任意のかかる構成において、回転防止アーム１１５、１１６がコネクタ２０に設けられてもよく、対応する凹部２１５、２１６がテストプラグ１３０又は装着ベース部３０に設けられてもよい。
【００６８】
図１９〜図２２を参照して記載された構成から、本発明はまた、更なる態様に従って、皮下センサーの装着ベース部又は装着ベース部の代用となるテストプラグをコネクタに連結するための接続構成を提供することがわかり得る。かかる接続は、典型的には、例えば、システムが糖尿病の管理のために使用されている場合、センサーから、血糖値用ディスプレイ又は輸液ポンプなどの外部機器へ電気信号を伝達するために必要である。接続構成は、装着ベース部又はテストプラグの本体を含み、当該本体は、片面に噛合面を有する。コネクタは、当該本体の噛合面に対する相補的な噛合面を有する接続構成の一部を形成するコネクタインターフェースを有する。本体の噛合面からの突出は、端部に接触部を有する管状要素４２である。コネクタインターフェースは、管状要素４２を受容するようサイズ決めされ、接続構成が係合されると、プローブの端部の接触部と接続するための接触部を含有する、ソケットを有する。噛合面から突出する管状要素の両側には、管状要素４２からそれぞれ離間した一対の回転防止ポスト１１５、１１６が存在する。コネクタインターフェースの相補面には、プローブの両面に、回転防止ポスト１１５、１１６が嵌合する凹部２１５、２１６が存在する。典型的には、回転防止ポストが凹部の壁部に仮に係合した場合、回転防止ポストが管状要素及びソケットに最も近い壁部に係合するように、凹部は、ポストよりはるかに広く、ソケットを越えて更に延在する。本体はまた、噛合面から離れた点で本体から飛び出し、噛合面に向かって本体に平行に連続し続ける一対の弾力性のあるラッチアーム９７、９８を有する。これらのラッチアームは、その後、外向きの面取りされた先端を有する直立しているラッチポスト９８の形態の噛合面を越えて延在する。ラッチアーム９７、９８は、弾力性があるので、ラッチ先端部９８が広がる緩和位置、及びラッチ先端部が共に移動する圧縮位置を有し、それ故に、弾力性があるアームと本体との間の距離が小さくなる。プローブの両面に１つずつ存在する相補面の凹部２１５、２１６は、十分広いので、回転防止ポスト１１５、１１６に加えて、ラッチポストを収容できる。それぞれの凹部は、プローブから離れる方向に側面に外壁を有し、外壁は、アームが緩和位置であり、それ故に、先端部が広がった位置であれば、ラッチ先端部が当該アンダーカットに嵌合し、ラッチポストを妨害しているスロットのより狭い口部分により、引っ込むことが防止されるように、ラッチアームのラッチ先端部に相補的なアンダーカットを有している。したがって、噛合面と相補的な噛合面の分離が防止される。しかしながら、２つのラッチアームを共に圧搾すると、２つのラッチアームは、ラッチ先端部が凹部のアンダーカットから逃がれ、噛合面が分離され得る圧縮位置に移動する。したがって、本体の管状要素４２の両側に二対のポストが存在し、内側の一対は、回転を避けるための役割を果す。二対は、管状要素に直接隣接している噛合面から立設し、それ故に、本体の剛性により、管状要素が回転する任意の傾向に対して簡単に抵抗することができる。空隙により回転防止ポストから分離した第２の対のポストは、ラッチ用である。第２の対の三角形先端部は、アンダーカットを形成する相補面の凹部の外壁の凹部にラッチされる。これらのラッチポストは、装着ベース部又はテストプラグの本体の背面に更に接続された弾性アームの端部に存在する。典型的には、これらのラッチポストは、装着ベース部又はテストプラグと同じ材料で製造されるが、比較的薄いため弾力性がある。アームを共に圧搾すると、ラッチポストと回転防止ポストとの間の空隙が減り、ラッチの組み合わせが十分狭くなり、狭い方の口部がアンダーカットにより逃がれ、相補面の凹部の口部から脱出する。したがって、ラッチアームは、弾力性をもたらし、回転防止ポストは、回転に対する安定をもたらし、両者は、相補面における同一の一対の凹部に係合し、それ故に、製造費を削減でき、結果として全般的に簡易なデザインがもたらされる。
【００６９】
図２６は、アンダーカットに接着剤層を有し、典型的には、皮下センサーをコネクタ２０に支持する、装着ベース部３０を接続するシステムを示す。システムは、データをセンサーから無線リンクを介して装着機器に送信する送信機を含んでもよい。コネクタ２０と装着ベース部３０との連結部は、コネクタ２０内に延在している装着ベース部３０のコネクタ嵌合具３６を含んでもよい。装着ベース部３０は、直立ポスト２６１を有し、直立ポスト２６１から管状要素４２が延在している。管状要素４２と、コネクタ嵌合具３６の嵌合キー５０とは、コネクタ２０内に嵌合して、コネクタ２０を装着ベース部３０に接続することができる。一旦接続されると、装着ベース部３０からコネクタ２０への移行のプロフィールは円滑である。
【００７０】
連結された場合、システムの安定性を提供すること、並びに非適合型部品との（ロックアウトとして知られる）接続を防ぐことと、が所望される。これは、サイドレール及びスロットを使用する図２６の構成において実現される。コネクタ２０のハウジングは、装着ベース部３０上の水平スロットと係合する水平サイドレールを有してもよい。より好ましくは、装着ベース部３０の直立ポスト２６１は、コネクタ２０のハウジング内の水平スロットと係合する水平サイドレールを有してもよい。スロットはそれぞれ、一端に入口を有し、他端に横方向端部ブロックを有する。サイドレールはそれぞれ、それぞれのスロットの入口から端部ブロックまでの距離未満の長さを有する。これにより、正しいサイドレールが対応するスロットに係合することができるが、サイドレールがスロットの入口から端部ブロックまでの距離より長いサイドレール及びスロットでは係合しない。
【００７１】
図２６は、コネクタ２０内のスロット２６２ａ及び２６２ｂと係合する装着ベース部３０上のサイドレール２６０ａ及び２６０ｂを示す。サイドレール２６０ａ及び対応するスロット２６２ａは、サイドレール２６０ｂ及び対応するスロット２６２ｂへの距離が同じであっても異なっていてもよい。図２７Ａ〜図２７Ｆは、装着ベース部３０及びコネクタ２０の異なるバージョンをロックアウトするために使用できると考えられるサイドレールの長さの組み合わせの様々な例を示す。図２７Ａ及び図２７Ｆは、例えば、長さが大きく異なるサイドレール２７２及び２７３を示す。図２７Ｂ及び図２７Ｅは、長さがあまり異ならないサイドレール２７２及び２７３を示す一方、図２７Ｃ及び図２７Ｄは、長さの違いがほとんどないサイドレール２７２及び２７３を示す。サイドレールはまた、互いに同じ長さであってもよい。サイドレール２７２の長さは、入口と端部ブロック２７０との間の距離に一致するように設定される一方、サイドレール２７３の長さは、入口と対応するスロットの端部ブロック２７１との間の距離に一致するように設定されるので、対応するスロットの距離より長いいずれか一方のレール長を有する装着ベース部３０は、コネクタ２０と係合しないこととなる。
【００７２】
したがって、図２６の構成は、典型的には、センサーから無線リンクを介してデータを送信する送信機を典型的に含有する、典型的には、皮下センサーを支持している、装着ベース部３０をコネクタ２０に接続するシステムを図示し、装着ベース部３０は、片側には、患者に取り付けるための接着層を有し、他方の側には、管状要素４２からプラットフォームに平行に延在している管状要素４２を有するポスト２６１を有する、プラットフォームを含み、コネクタ２０は、摺動式レールにより、管状要素４２を係合するように位置付けられたソケットを有するハウジングと、互いと係合するスロットと、を有する。スロットはそれぞれ、一端に入口を有し、他端に横方向端部ブロックを有し、サイドレールはそれぞれ、それぞれのスロットの入口から端部ブロックまでの距離未満の長さを有する。その結果、非適合型装着ベース部及びコネクタをロックアウトできる。この場合、少なくとも１つのサイドレールは、対応するスロットの入口から端部ブロックまでの距離より長い。図２６のシステムは、上述のように、更なる安定性を提供するために、前述の連結構成を組み込んでもよい。
【００７３】
図２２に示す実施形態では、コネクタはまた、テストプラグ／コネクタのラッチ先端部９８のように、回転防止アームにフックが形成されている場合、回転防止アームを捕捉することができるキャッチ２１７及び２１８を含む。これらの回転防止部品は、互いに対して、装着ベース部／テストプラグ及びコネクタの回転を防止する役割を果たし、装着ベース部が適合可能なテストプラグ／装着ベース部だけと共に使用されることを確保する役割を果たし、物理的性質又は技術的性質の適合性に関する問題を避けることができる。更なる実施形態では、回転防止アームの幅及び／又は高さは、前述の非適合型部品をロックアウトするために変更されてもよい。図３４に示すように、装着ベース部３０又はテストプラグ（図示せず）の回転防止アーム１１５、１１６が安定性を増大させ、回転を更に避けるために、少なくとも高さと同様の幅があることが好ましい場合がある。回転防止アームが少なくとも高さと同様の幅がある場合、圧力が付与された際、簡単に破砕又は破損する可能性がなく、折れ曲がる可能性が少ない。図３５は、装着ベース部／テストプラグのラッチのためのラッチ凹部としても機能する幅が広い回転アーム用凹部２１５及び２１６を有するコネクタ２０の部分図を示す。矢印１０００は、コネクタ２０の一部ではなく、図３４に示す幅が広い回転防止アームを許容するために幅が広げられた回転アーム用凹部２１５及び２１６を単に実証している。
【００７４】
回転防止アーム用凹部に関して、回転防止アームをラッチ凹部１００から分離及び区別することが可能である。しかしながら、本明細書に示された図では、装着ベース部／テストプラグのラッチ先端部がキャッチ２１７、２１８と係合する（図２２に示す）ようにラッチ及び回転防止アームの両方が回転アーム用凹部２１５、２１６に嵌合するので、ラッチ先端部９８を係合するためのラッチ凹部１００及びラッチキーパー１０２は、回転アーム用凹部２１５、２１６及びキャッチ２１７、２１８と同一の機構である。
【００７５】
更なる実施形態では、安定性を提供し、非適合型部品からロックアウトをするために、追加の要素が含まれる。例えば、図３０及び図３１は、ロックアウト柱状体１１７及び１１８を有する装着ベース部３０を示す。（両図ともコネクタ２０の部分図を示す）図３２及び図３３に示すように、これらのロックアウト柱状体１１７及び１１８は、コネクタ２０内のロックアウトポケット２１７及び２１８と相互作用し、これらの中に摺動する。テストプラグ（図示せず）を同様に変更して、ロックアウトポケット２１７及び２１８内に摺動することができるロックアウト柱状体を含んでもよい。装着ベース部／テストプラグがコネクタに接続されると、ロックアウト柱状体は、部品間の回転を更に防ぐ。更に、ロックアウト柱状体により、装着ベース部／テストプラグが適合するロックアウトポケットを有さない非適合型コネクタと共に使用されることを防ぐことができる（かつ逆も同様である。ロックアウト柱状体により、非適合型装着ベース部／テストプラグを有するコネクタの使用が防止される）。２つのロックアウト柱状体が図３０に示されるが、コネクタ上のロックアウトポケットの等しい数に対応する任意の合理的な数のロックアウト柱状体を有することが可能である。
【００７６】
ロックアウトポケットは、コネクタの全部又は一部を射出成型することによって、あるいは当該技術分野において既知のプラスチックパーツを成型又は成形する他の方法によって、コネクタの一部を穿孔することによって成形され得る。ロックアウト柱状体及びロックアウトポケットは、ラッチ先端部９８がラッチ凹部１００に完全に係合した際、テストプラグ又は装着ベース部がコネクタに接続されると、ロックアウト柱状体がロックアウトポケットに完全に嵌合するように製造されることが好ましい。こうして、テストプラグ／装着ベース部がコネクタと緊密に確実に接続される。この緊密な接続により、耐水性、パーツの安定性、電子部品の適切な接続が改善される。更なる実施形態では、材料をポケットの中に追加して、より固有の形状を生成してもよい。このより固有の形状を使用して、安定性が増し、あるいはより特有の形状を有するより特異的なインターロッキング部品を使用するより良好なロックアウトシステムを生成することができる。材料を追加又は除去して、ポケットの形状を変更することにより、洗浄を容易にすることができる。ポケットの形状を変更する他の利点は、どのロックアウト構成を有しているかをユーザに知らせるのに役立つこと、あるいはロックアウト構成のセットが可能になることである。これらの構成のうちの１つが図３３に示され、追加された材料２１７０、２１８０がロックアウトポケットの中に示されている。追加された材料は、コネクタの他の部分と同じ材料、又はロックアウトポケット２１７、２１８に加えるために好適な異なる材料から製造されてもよい。ポリカーボネート及びポリカーボネートブレンド（ＰＣ／ＡＢＳ、ＰＣ／ＰＢＴなど）は、機械的強靱性、並びに電子ビーム及びＥＴＯなどの一般的な殺菌方法でも影響を受けない能力のために、追加材料として適切である。しかしながら、非適合型である任意の熱可塑性樹脂が材料として十分であると考えられる。
【００７７】
追加の実施形態では、非適合型部品からの安定性及びロックアウトを提供することが想到される。例えば、図２６では、コネクタ内のスロット２６２に嵌合するサイドレール２６０を装着ベース部が含む、装着ベース部及びコネクタの接続部分のモックアップが示されている。図２７Ａ〜図２７Ｆは、装着ベース部及びコネクタの異なるバージョンをロックアウトするために使用することができると考えられるサイドレールの長さの組み合わせの様々な例を示す。分かるように、レールの長さは、正しくないレールの長さを有する装着ベース部がコネクタに嵌合しないこととなるようにスロットの長さに一致するように設定される。本構成では、センサーセットが、コネクタが据えられる基板を形成するので、コネクタ及び基板に対して同じ設置面積が付与され、よりコンパクトな設計が生成される。コネクタは、コネクタの本体内の連結を有する基板に立設しているセンサーユニット上に摺動するので、接続状態における安定性が増大し、使用中、アイテムが過失により分離される可能性が低くなる。全体の構造は、過失を減らすことに役立つ平滑なプロファイルを有し、（図２７Ａ〜図２７Ｆのように、）摺動係合は、多様な異なる長さのレールを有する。つまり、コネクタは、適切に係合するための特定のセンサーに適している必要があるという意味である。
【００７８】
追加の実施形態では、回転防止アーム延在部の位置は、テストプラグ／装着ベース部の本体／中央区画に対して多様であってもよい。例として、図１９は、本体／中央区画３５を有するテストプラグ１３０の上面図を示す。管状要素４２は、テストプラグの本体から延在している。この主構造／中央区画からの延在部は、回転防止アーム１１５及び１１６である。ラッチアーム９７は、装着ベース部又はテストプラグの中央区画から更に分離するために取り付けられ、コネクタ２０上のラッチ凹部１００内にラッチ動作をすると、ラッチアーム９７は、中央区画３５に向かって圧縮され得る。装着ベース部又はテストプラグがコネクタに接続すると、ラッチアーム９７は、ラッチ先端部９８がラッチ凹部１００（又は凹部２１７、２１８）内に完全に収まるまで中央区画に向かって移動し、適所にはめ込まれ、ユーザが部品の接続を解除したいと思うまでコネクタから離れる方向に接続解除しないように装着ベース部／テストプラグを係止する。
【００７９】
しかしながら、図３６では、テストプラグ又は装着ベース部（図示せず）の中央区画は、中央区画３５と回転防止アーム１１５、１１６との間に回転防止アーム延在部３１５、３１６を含む。回転防止アーム延在部３１５、３１６は、中央区画３５の頂部から回転防止アームに向かって下方向に傾斜していてもよい。回転防止アーム延在部、特に、回転防止アームに向かって下方向に傾斜している回転防止アーム延在部を含むことにより、テストプラグ又は装着ベース部を形成する際、材料を節約することができる。延在部により、更に、テストプラグが接続された場合、ポケットが清潔に保たれる。延在部により、より一貫性のある断面厚が可能となり、成型の際の時間が早くなり、材料収縮の効果により表面上の不具合が減る。
【００８０】
非適合型部品をロックアウトするために使用できる本明細書に記載された特定の特徴のうちのいずれかは、単独でも互いに組み合わせても使用可能であり、可能な多くの接続構成の反復を生成できる。従って、非適合型である部品の多くの変形例が互いに接続することができなくなることを確実にできることが可能となる。
【００８１】
本発明のセンサーセットは、センサー１２を皮下に配置するために、患者の皮膚に素早くかつ簡単に装着される。図４のセンサーを使用する１つの方法では、例えば、装着ベース部３０及びコネクタ２０は、最初にスナップ嵌めラッチ部材を係合することにより共に連結される。ハブ８０はまた、最初に取り付けられる。その後、セットは、典型的には、接着パッチ３４の下側表面から保護針ガード（図示せず）及び剥離フィルム（同図示せず）を取り外した後、患者の皮膚に対して押し当てられて、接着パッチ３４上の感圧性接着剤を露出させる。セットを皮膚に押し当てると、挿入針１４が皮膚を突き刺し、これによって、センサー電極１５を有するカニューレ５８が所望の皮下位置に運ばれる。その後、挿入針１４は、針を患者から抜くことにより、カニューレ及びセンサーから摺動可能に係合解除される。所望の場合、過剰に手当てをすること（overdressing）（図示せず）により、患者により強固に挿入セット１０を固着させてもよい。あるいは、装着ベース部は、コネクタに接続する前に、患者の皮膚に固着されてもよい。したがって、コネクタは、装着ベース部が患者の皮膚に快適に取り付けられた後、装着ベース部に接続されると考えられる。患者が部品を水洗い又は洗浄したい場合、コネクタの接続解除も可能である。この時点で、ダミーソケット（図示せず）を装着ベース部に接続して、センサー内部の電子部品を保護することができる。
【００８２】
センサーを患者から取り外すことが必要であるか、又は所望される場合、挿入セットを、患者の皮膚から簡単に取り外して、センサーを皮下部位から引き抜く。挿入セット１０は、スナップ嵌めラッチ部材を適切に解放することにより、ケーブルコネクタ２０から素早く簡単に組付け解除することができる。その後、新しい挿入セット１０をケーブルコネクタと組み付け、患者に素早く設置して、新しいセンサーを皮下に位置付けることができる。
【００８３】
具体的な実施形態の前述の説明により、本開示の全般的な本質が十分に明らかになるので、現知識を適用すれば、他者は、全般的な概念から逸脱することなく、様々な用途に対してシステム及び方法を簡単に変更し、かつ／又は適合させることができる。したがって、かかる適合及び変更は、開示された実施形態の均等物の意味及び範囲内である。本明細書に用いられた表現又は用語は、説明の目的のためであり、限定されるわけではない。
【符号の説明】
【００８４】
１０  挿入セット、１２  センサー、１４  挿入針、１５  センサー電極、１６  頭部、１７  シム、１８  接触パッド、２０  コネクタ、２２  ケーブル、２４  細長導電素子、３０  装着ベース部、３２  下側表面、３４  接着パッチ、３５，８６  中央区画、３６  コネクタ嵌合具、３８  凹型チャンネル、４０  上面、４２  管状要素、４４  嵌合用孔、４６  外部溝、４８封止リング、５０  キー、５２  座部、５３  角度付き面、５４  隙間、５８  カニューレ、５９  窓、６０  保持キャップ、６８  支持ブラケット、７７  切り欠き部、７８  キャップポート、７８  針ポート、８０  ハブ、８２  拡大ウィング、８４  ノーズ、８８  ガイド面、９０  前方面、９２  ソケット嵌合具、９３  入口部分、９４  段差部分、９６  ピン、９７  ラッチアーム、９８  ラッチポスト、９８  ラッチ先端部、１００  ラッチ凹部、１０２  ラッチキーパー、１１５  回転防止アーム、１１６  回転防止ポスト、１１７  ロックアウト柱状体、１２５  ランナー、１３０  テストプラグ、１５２，１５３  座部、１５４  シェルフ、１８０  基板、１８６  短絡経路、２０１  上側シェルハウジング部分、２０２  回路基板、２０３  アンテナ、２０５  ピン、２０６  ハウジング、２０７  下側シェルハウジング部分、２１５〜２１８  凹部、２６０，２６０ａ，２６０ｂ，２７２，２７３  サイドレール、２６１  ポスト、２６２，２６２ａ，２６２ｂ  スロット、２７０，２７１  端部ブロック、３１５，３１６  回転防止アーム延在部、５０１  プロング、５０３  レール。
【図１】
2020099723.tif 000003
【図２】
2020099723.tif 000004
【図３】
2020099723.tif 000005
【図４】
2020099723.tif 000006
【図５】
2020099723.tif 000007
【図６】
2020099723.tif 000008
【図７】
2020099723.tif 000009
【図８】
2020099723.tif 000010
【図９】
2020099723.tif 000011
【図１０】
2020099723.tif 000012
【図１１】
2020099723.tif 000013
【図１２】
2020099723.tif 000014
【図１３】
2020099723.tif 000015
【図１４】
2020099723.tif 000016
【図１５】
2020099723.tif 000017
【図１６】
2020099723.tif 000018
【図１７】
2020099723.tif 000019
【図１８】
2020099723.tif 000020
【図１９】
2020099723.tif 000021
【図２０】
2020099723.tif 000022
【図２１】
2020099723.tif 000023
【図２２】
2020099723.tif 000024
【図２３】
2020099723.tif 000025
【図２４】
2020099723.tif 000026
【図２５Ａ】
2020099723.tif 000027
【図２５Ｂ】
2020099723.tif 000028
【図２５Ｃ】
2020099723.tif 000029
【図２５Ｄ】
2020099723.tif 000030
【図２５Ｅ】
2020099723.tif 000031
【図２５Ｆ】
2020099723.tif 000032
【図２６】
2020099723.tif 000033
【図２７Ａ】
2020099723.tif 000034
【図２７Ｂ】
2020099723.tif 000035
【図２７Ｃ】
2020099723.tif 000036
【図２７Ｄ】
2020099723.tif 000037
【図２７Ｅ】
2020099723.tif 000038
【図２７Ｆ】
2020099723.tif 000039
【図２８】
2020099723.tif 000040
【図２９】
2020099723.tif 000041
【図３０】
2020099723.tif 000042
【図３１】
2020099723.tif 000043
【図３２】
2020099723.tif 000044
【図３３】
2020099723.tif 000045
【図３４】
2020099723.tif 000046
【図３５】
2020099723.tif 000047
【図３６】
2020099723.tif 000048
【図３７】
2020099723.tif 000049
【図３８】
2020099723.tif 000050